(57)【要約】【課題】空調装置等の機能性を備えたベッドを寝室に配置する際に、寝室を構成する要素を、寝室としての機能性や空間性やインテリア性を考慮してトータル的にレイアウトすることのできる、寝室システム家具を提案する。【解決手段】  頭部側を寝室の一壁面に接して配置されるベッド２０と天井４３に固定された天蓋３０とから成る寝台１０と、ナイトテーブル６０及び上面を天井４３に接するようにナイトテーブル６０の上方に配置された吊り収納７１と、床４４から天井４３までの高さを有する収納７０の、寝室システム家具を構成する各要素を寝室の一壁面を覆うように並列配置した。寝台１０には、寝室全体及び就寝者個人の環境を整えるための照明機能や空調機能を備え、これらの機能を構成するために必要な配管や配線のための空間を、寝室システム家具を構成する各要素の内部に設けた。【選択図】図２
2005211316.tif 000002
【特許請求の範囲】
【請求項１】
頭部側を寝室の一壁面に接して配置されるベッドと天井に固定された天蓋とから成る寝台と、
ナイトテーブル及び上面を天井に接するようにナイトテーブルの上方に配置された吊り収納と、
床から天井までの高さを有する収納とを、
寝室の一壁面を覆うように並列配置して成ることを特徴とする寝室システム家具。
【請求項２】
前記寝室システム家具において、
収納と、吊り収納と、ベッドのヘッドボードとの、奥行きを略等しいものとする、請求項１に記載の寝室システム家具。
【請求項３】
前記寝室システム家具において、
寝台に照明装置若しくは空調装置、又は、照明装置及び空調装置を備え、ナイトテーブルにこれらの装置の操作部を設ける、請求項１又は請求項２に記載の寝室システム家具。
【請求項４】
前記寝室システム家具において、
収納と、寝台と、ナイトテーブルと、吊り収納のうち少なくともいずれか一つの内部空間を、配管又は配線のための空間とする、請求項３に記載の寝室システム家具。
【発明の詳細な説明】
【技術分野】
【０００１】
本発明は、寝室を総合的に形成する寝室システム家具に関する。
【背景技術】
【０００２】
従来、寝室に配置する家具として、ベッドと収納とを組み合わせた組み合わせ家具が知られている。例えば、特許文献１に記載の技術である。これらの組み合わせ家具では、ベッドを収納家具に格納可能としたものや、就寝時に必要となるものをベッド周りに配置可能としたものや、照明装置等を設けたものが知られている。
【０００３】
また、快眠を得るための睡眠環境を形成するために、ベッドに空調装置や温熱装置等を設けたものが提案されている。例えば、特許文献２に記載の技術である。この技術では、ベッドやベッドの近傍に、空調された空気の吹出口を設けて、吹出口より各就寝者が快適に就寝することのできるように調整された気体を吹き出すことにより、良好な睡眠環境を形成している。
【０００４】
【特許文献１】特開平６−１４１９５２号公報
【特許文献２】特開２００２−３５７３５１号公報
【発明の開示】
【発明が解決しようとする課題】
【０００５】
寝室において、ベッド、収納家具、空調装置、照明器具、電源等の寝室を構成する要素のレイアウトは、寝室としての機能性や空間性やインテリア性を考慮したトータル的なものとすることが好ましい。しかし、寝室としての空間が形成されたあとに、ベッドや空調、照明等が購入されるうえ、個々の要素の配置に関して、要素の形状等が配置を決定する際に優先されることが多いため、必ずしも容易に実現するものではなかった。
また、上述の如く、空調装置等の機能性を備えたベッドを寝室に配置する場合、空調装置のために必要とされる配管が寝室の空間性を損ねる虞がある。
そこで、本発明では、空調装置等の機能性を備えたベッドを寝室に配置する際に、寝室を構成する要素を、寝室としての機能性や空間性やインテリア性を考慮してトータル的にレイアウトすることのできる、寝室システム家具を提案する。
【課題を解決するための手段】
【０００６】
本発明の解決しようとする課題は以上の如くであり、次にこの課題を解決するための手段を説明する。
【０００７】
即ち、請求項１においては、頭部側を寝室の一壁面に接して配置されるベッドと天井に固定された天蓋とから成る寝台と、ナイトテーブル及び上面を天井に接するようにナイトテーブルの上方に配置された吊り収納と、床から天井までの高さを有する収納とを、寝室の一壁面を覆うように並列配置して成る寝室システム家具である。
【０００８】
請求項２においては、前記寝室システム家具において、収納と、吊り収納と、ベッドのヘッドボードとの、奥行きを略等しいものとするものである。
【０００９】
請求項３においては、前記寝室システム家具において、寝台に照明装置若しくは空調装置、又は、照明装置及び空調装置を備え、ナイトテーブルにこれらの装置の操作部を設けるものである。
【００１０】
請求項４においては、前記寝室システム家具において、収納と、寝台と、ナイトテーブルと、吊り収納のうち少なくともいずれか一つの内部空間を、配管又は配線のための空間とするものである。
【発明の効果】
【００１１】
本発明の効果として、以下に示すような効果を奏する。
【００１２】
請求項１においては、寝室の一壁面全体を利用して寝台を具備する寝室システム家具を配置することによって、寝室システム家具と寝室との一体感や高級感をもたせることができ、寝室としての空間性やインテリア性の高いトータル的なコーディネートが容易となる。
【００１３】
請求項２においては、収納と、吊り収納と、ベッドのヘッドボードの、寝室システム家具の各構成要素の表面にて、寝室の壁の内側に新たに擬似的な壁を形成することができる。これにより、寝室システム家具と寝室に一体感をもたせることができ、寝室としての空間性やインテリア性を高めることができる。
【００１４】
請求項３においては、寝室の環境及び就寝者の睡眠環境を形成するために必要とされる機器を寝台に備えることによって、寝室の機能性を重視したトータル的な空間設計が容易となる。
【００１５】
請求項４においては、寝室の環境及び就寝者の睡眠環境を形成するために必要とされる機器のための配管や配線を寝室システム家具で隠蔽することができ、また、予め配線や配管に必要とされる空間を確保することができる。これにより、寝室の機能性やインテリア性を重視したトータル的な空間設計が容易となる。
【発明を実施するための最良の形態】
【００１６】
次に、発明の実施の形態を説明する。
図１は本発明の実施例に係る寝室システム家具を配設した寝室の様子を示す図、図２は寝室システム家具の構造を示す図、図３は寝台と天蓋に形成された空調装置の構造を示す図である。
【００１７】
図１では本発明の実施例に係る寝室システム家具を配設した寝室の様子を示している。寝台１０は、床に載置されたベッド２０と、ベッド２０の上方に配置された天蓋３０とで構成されている。本実施例において、天蓋３０は天井４３に固定されているが、就寝者の所望に応じて天蓋３０を天井４３から吊設して、ベッド２０に対してより近い位置に天蓋３０を配設することもできる。
【００１８】
ベッド２０は、該ベッド２０のフレームとなる基台２１と、基台２１の頭部側から垂直に立設されるヘッドボード２２とで構成され、基台２１にスプリングマット２３等が載置されて、寝床が形成される。
【００１９】
図２や図３にも示す如く、ベッド２０の基台２１の内部には、空調装置４９の室内機６２から送気ダクト６９を通じて送られる気体が流入する暖気溜２５が形成されており、該暖気溜２５に開口する温風吹出口２４が、基台２１の側面に形成されている。従って、ベッド２０の側方からは、空調装置４９によって調整された温風が吹き出され、寝室全体の空調が行われる。
【００２０】
また、基台２１の内部には、主に冬季において就寝者の快適な入眠を促すために、加温装置５３が設けられており、スプリングマット２３を介して就寝者の脚部が加温される構成としている。
さらに、基台２１の側面には、足下照明５４が備えられている。足下照明５４は、床４４を照らす間接照明であり、寝台１０で寝る就寝者の目に光が直接入らないように考慮されている。
【００２１】
天蓋３０は、箱形状の天蓋本体３１と、天蓋本体３１の頭部側に配置された天蓋垂壁２９とで構成されている。なお、本実施例おいては天蓋３０は略直方体状をしているが、この形状に限定されるものではなく、内部に空間を形成することができれば、例えば、略円柱状としたり略三角柱状としたり略楕円柱状としたりすることができる。また、天蓋本体３１の下面にレールを設けて、天蓋本体３１よりカーテンを垂下させることもできる。
【００２２】
天蓋３０の内部には、空調装置４９の室内機６２から送気ダクト６３を通じて送られる気体が流入する冷気溜６５が形成されており、該冷気溜６５に開口する吹出口４８・４８が天蓋３０の下面に設けられている。この吹出口４８・４８より吹き出される冷風は、主に夏季において、天蓋３０の下方に位置する就寝者に対して、就寝者の快適に応じるように設定された温度の冷気を与え、各就寝者に適した睡眠環境を形成するものである。
【００２３】
さらに、天蓋３０の内部には、空調装置４９の室内機６２から送気ダクト６８を通じて送られる気体が流入する冷気溜３３が形成されており、該冷気溜３３に開口する冷風吹出口３２が天蓋３０の側面に設けられている。従って、天蓋３０の側方からは、空調装置４９によって調整された冷風が吹き出され、寝室全体の空調が行われる。
【００２４】
また、天蓋３０の側面には、寝室の全体照明５２が設けられている。この全体照明５２により寝室が広く照らされるが、寝台１０のベッド２０と天蓋３０との間の各就寝者のための空間は仄かに明るい程度にとどめられる。
そして、天蓋３０の天蓋垂壁２９には、就寝者の手元を照らすための手元照明５１が設けられている。手元照明５１は、寝台１０のベッド２０と天蓋３０との間の各就寝者のための空間を照らすための照明である。
【００２５】
上述の如く、ベッド２０と天蓋３０とから成る寝台１０には、寝室全体の空調機能及び照明機能と、ベッド２０で寝る就寝者個人のための空間の空調機能及び照明機能とが備えられている。
前記空調装置４９、加温装置５３、全体照明５２、足下照明５４、手元照明５１等の設定や操作は、ベッド２０の側方に配設されたナイトテーブル６０に設けられた操作パネル５９で集中して行うことができる。なお、ナイトテーブル６０としてキャビネット等を採用することもできる。
【００２６】
上記寝台１０は、ベッド２０のヘッドボード２２と、天蓋３０の天蓋垂壁２９とが、寝室のいずれか一面の壁７３に接した状態に配置される。この壁７３は、サイドブロックＡと、寝台ブロックＢと、コントロールブロックＣとから成る寝室システム家具で覆われる。
前記サイドブロックＡは、床４４から天井４３までの高さを有し、ヘッドボード２２や天蓋垂壁２９と略等しい奥行きを有する収納７０で成る。
前記寝台ブロックＢは、ベッド２０と天蓋３０とで構成される寝台１０で成る。
前記コントロールブロックＣは、操作パネル５９を備えたナイトテーブル６０と、該ナイトテーブル６０の上方に上面を天井４３に接するように配置され、ヘッドボード２２や天蓋垂壁２９と略等しい奥行きを有する吊り収納７１とから成る。
【００２７】
図１及び図２に示す本実施例では、壁７３の一側端部から、サイドブロックＡ、寝台ブロックＢ、コントロールブロックＣ、寝台ブロックＢ、サイドブロックＡの順に各ブロックを間隙無く並列配設して、これらのブロックで壁７３の一面を覆っている。すなわち、コントロールブロックＣの両サイドに二つの寝台ブロックＢ・Ｂを配置し、さらに、両端にサイドブロックＡ・Ａが配置されている。
【００２８】
そして、収納７０・吊り収納７１・天蓋垂壁２９・ヘッドボード２２の表面はこれらの奥行きが略等しいために面一となり、収納７０・吊り収納７１・天蓋垂壁２９・ヘッドボード２２の寝室システム家具の各構成要素の表面にて、寝室の壁の内側に新たに擬似的な壁が形成されている。
【００２９】
上述の如く配置した寝室システム家具において、収納７０と天蓋垂壁２９と吊り収納７１の内部には、空調装置４９の送気ダクト６３や送気ダクト６８が通されている。また、収納７０とヘッドボード２２とナイトテーブル６０の内部には、空調装置４９の送気ダクト６９が通されている。同様に、空調装置４９・加温装置５３・照明５２・足下照明５４・手元照明５１等のための電装機器やそのコードが、ベッド２０と天蓋３０とナイトテーブル６０と収納７０と吊り収納７１の寝室システム家具の構成要素のうち少なくともいずれか一つの要素の内部に配設されている。
このように、空調装置４９の送気ダクト６３・６８・６９や電装機器は寝室システム家具の構成要素の内部に隠蔽され、寝室に露出しないので、寝室の空間性を損ねることなく配管することができる。
また、寝室システム家具の構成要素の内部に予め配管や配線のための空間が設けられていることになり、既存の寝室に、空調機能や照明機能等を備えた寝台を新たに配置する際にも、配管や配線のルートを思案する必要が無い。
【００３０】
なお、空調装置４９の室内機６２は収納７０や吊り収納７１の内部や、天井４３の上や、その他の収納家具の内部等に配置することができる。但し、室内機６２を収納７０又は収納７１の内部に配置すれば、室外機６１までの配管をも収納７０又は収納７１にて隠蔽することができ、好ましい。
【００３１】
上記寝室システム家具は、構成要素の組み合わせが自在である。
例えば、寝室に寝台１０を単数配置する際には、サイドブロックＡと、寝台ブロックＢと、コントロールブロックＣとを順に並べることができる。或いは、サイドブロックＡと、寝台ブロックＢと、コントロールブロックＣと、サイドブロックＡとを順に並べることもできる。
サイドブロックＡとコントロールブロックＣのいずれが寝台ブロックＢの左右に配置されるかは、就寝者の利き手や好みに応じて変更することが可能である。
また、寝室システム家具が接する壁の大きさに応じてサイドブロックＡの幅を調節することによって、様々な幅の壁に容易に対応することができる。従って、寝台ブロックＢとコントロールブロックＣとの大きさを規格化し、サイドブロックＡの収納７０を幅の異なる複数種類を製造することで、多くの寝室に対応する汎用製品とすることができる。
【００３２】
上記寝室システム家具では、ベッド２０と天蓋３０とから成る寝台１０を具備する寝台ブロックＢに、寝室の照明機能と空調機能が備えられているため、寝室の照明や空調を別途設ける必要がなく、また、寝室の照明や空調を寝室システム家具に組み込むことで、寝室のトータル的なコーディネートが容易となる。さらに、寝台ブロックＢには、就寝者のための照明と空調とを整える機能が備えられて、個々の就寝者に快適な睡眠環境を形成することが可能である。従って、寝台ブロックＢを寝室に配設することで、機能的に優れた寝室が形成されることになる。
また、ベッド２０のヘッドボード２２が当接する壁７３、すなわち、就寝者の頭部側に位置する壁一面を寝室システム家具で覆い、寝室の内装（模様や色彩や材質等）と寝台１０とに一体感（統一性）を与えることによって、寝室としての設えに高級感を与え、インテリア性や寝室としての空間性を高めることができる。
従って、本発明に係る寝室システム家具によれば、寝室のトータル的な空間設計が容易となり、また、寝室を機能性や空間性やインテリア性に優れたものとすることができる。
【図面の簡単な説明】
【００３３】
【図１】本発明の実施例に係る寝室システム家具を配設した寝室の様子を示す図。
【図２】寝室システム家具の構造を示す図。
【図３】寝台と天蓋に形成された空調装置の構造を示す図。
【符号の説明】
【００３４】
Ａ  サイドブロック
Ｂ  寝台ブロック
Ｃ  コントロールブロック
１０  寝台
２０  ベッド
２４  温風吹出口
３０  天蓋
３２  冷風吹出口
４８  吹出口
４９  空調装置
５１  手元照明
５２  照明
５３  加温装置
５４  足下照明
５９  操作パネル
６０  ナイトテーブル
７０  収納
７１  吊り収納
【図１】
2005211316.tif 000003
【図２】
2005211316.tif 000004
【図３】
2005211316.tif 000005